(57)【要約】【課題】    操作ボタンが子供によっていたずら操作されることを防ぐ。【解決手段】  リモートコントローラ本体１０とチャイルドロック機構５０とを備える。チャイルドロック機構５０が、筐体１に装着されてその操作ボタン２を覆う防護カバー５と、防護カバー５を上記筐体に外れないように結合するロック状態とそのロック状態を解除するロック解除状態とを選択可能なロック手段６とを有する。ロック手段６のロック状態からロック解除状態への切換わり動作が、操作つまみ７の回転操作を伴う予備動作と、この予備動作を行った後で、嵌合孔部５２を操作つまみ７から離脱させる主動作との２段階の手動動作を通じて行われるように構成してある。【選択図】        図２
2007006362.tif 000002
【特許請求の範囲】
【請求項１】
筐体に配備された操作ボタンの操作を通じて制御信号を発信するリモートコントローラ本体と、このリモートコントローラ本体の上記操作ボタンがいたずら操作されることを防ぐチャイルドロック機構とを備えたリモートコントローラにおいて、
上記チャイルドロック機構が、上記筐体に装着されてその操作ボタンを覆う防護カバーと、上記防護カバーを上記筐体に外れないように結合するロック状態とそのロック状態を解除して上記防護カバーを上記筐体から取外し可能とするロック解除状態とを選択可能なロック手段とを有し、
そのロック手段のロック状態からロック解除状態への切換わり動作が、上記筐体に定位置回転操作可能に取り付けられた操作つまみを回転操作してその操作つまみを上記防護カバーに設けられた嵌合孔部に対する離脱不能な位置から離脱可能な位置に位置合わせする予備動作と、この予備動作によって上記操作つまみを上記嵌合孔部に対する離脱可能な位置に位置合わせした後に、上記嵌合孔部を上記操作つまみから離脱させる主動作との２段階の手動動作を通じて行われるように構成されていることを特徴とするリモートコントローラ。
【請求項２】
２段階の上記手動動作のうちの１つの動作に、筐体と防護カバーとのうちの一方側に設けられた突片部を、他方側に設けられた凹入部に対する挿入位置から引き出してその突片部を上記凹入部から離脱させる操作が含まれている請求項１に記載したリモートコンローラ。
【請求項３】
筐体に配備された操作ボタンの操作を通じて制御信号を発信するリモートコントローラ本体と、このリモートコントローラ本体の上記操作ボタンがいたずら操作されることを防ぐチャイルドロック機構とを備えたリモートコントローラにおいて、
上記チャイルドロック機構が、上記筐体に装着されてその操作ボタンを覆う防護カバーと、上記防護カバーを上記筐体に外れないように結合するロック状態とそのロック状態を解除して上記防護カバーを上記筐体から取外し可能とするロック解除状態とを選択可能なロック手段とを有し、
そのロック手段のロック状態からロック解除状態への切換わり動作が、予備動作とその予備動作に連続する主動作との２段階の異なる手動動作を通じて行われるように構成されていることを特徴とするリモートコントローラ。
【請求項４】
２段階の上記手動操作のうちの１つの動作に、上記筐体に取り付けられた操作つまみの定位置での回転操作が含まれ、その回転操作を通じて、操作つまみに具備された係合部が防護カバーに具備された被係合部から外れるように構成されている請求項３に記載したリモートコンローラ。
【請求項５】
上記予備動作が、請求項４に記載した操作つまみの定位置での回転操作であり、上記主動作が、操作つまみの回転操作によって被係合部から外された係合部を、防護カバーに設けられた引抜き溝を通して引き抜く操作である請求項３に記載したリモートコンローラ。
【発明の詳細な説明】
【技術分野】
【０００１】
本発明は、リモートコンローラ、特に幼児などが興味本位で操作することを防ぐためのチャイルドロック機構を備えたリモートコンローラに関する。
【背景技術】
【０００２】
近時では、双方向型のテレビジョンシステムのように、家電製品に通信システムを搭載し、通信販売による各種商品の購入や懸賞などの応募を行うのにも、リモートコンローラを使って必要なデータを入力したり、入力したデータを送信したりすることが普及している。
【０００３】
一方、テレビジョン受像機やその他の家電製品の遠隔制御を可能にしているリモートコンローラは、幼児などの小さな子供にとって大変に興味深くて魅力的な玩具となり得る要素を備えている。たとえば、リモートコンローラは操作ボタンの操作を通じて制御信号を発信するものであって、そのような操作ボタンの操作が子供にとっての興味の対象になったり、操作ボタンの操作によって、たとえばテレジョン受像機の画面に映っている画像が切り換わったりすることが興味の対象になったりする。そのため、テレビジョン受像機で映像を見ているときに、子供が誤ってリモートコンローラの操作ボタンを押したために画像が切り換わってしまった、というようなことは、子供を持っている大人はたいてい経験している。
【０００４】
このような状況下では、たとえば上記のような通信販売による商品の購入時に、子供がリモートコントローラを興味本位で持ち遊んでいるときに誤って送信ボタンを押してしまって大人の知らない間に商品が注文されてしまうといった不測の事態の起こるおそれがある。
【０００５】
従来、電源の通電を遮断することによってリモートコンローラをチャイルドロックすることが提案されており、そのものでは、電源の通電遮断を行わせるためのスライドスイッチの動作を、押下げ動作とスライドとの２段階の手動動作によって行うようにしている（たとえば、特許文献１参照）。
【０００６】
他の従来例として、リモートコンローラを本体と蓋とで構成し、多くの操作ボタンを本体と蓋とに振り分けて配備することによって、ビデオ一体型テレビジョン受像機の遠隔操作の操作性を改善したものがあった（たとえば、特許文献２参照）。
【特許文献１】特開２００１−１４５１８２号公報
【特許文献２】実登第３０００６０９号公報
【発明の開示】
【発明が解決しようとする課題】
【０００７】
しかしながら、特許文献１に記載されているように、スライドスイッチの動作を、押下げ動作とスライドとの２段階の手動動作によって行うようにしたものでは、スライドスイッチを押し下げてスライドさせるという一連の操作が子供にとっても興味本位で比較的行いやすい操作であると云え、そのために子供がリモートコンローラを持ち遊んでいるときに容易にいたずら操作して偶然に電源を通電させてしまうということが起こり得る。
【０００８】
本発明は以上の状況の下でなされたものであり、ロック状態では操作ボタンが子供によっていたずら操作されることを確実に防ぐことができるだけでなく、子供のいたずら操作によってはそのロック状態が容易に解除され得ないチャイルドロック機構を備えたリモートコンローラを提供することを目的とする。
【課題を解決するための手段】
【０００９】
本発明に係るリモートコンローラは、筐体に配備された操作ボタンの操作を通じて制御信号を発信するリモートコントローラ本体と、このリモートコントローラ本体の上記操作ボタンがいたずら操作されることを防ぐチャイルドロック機構とを備えたリモートコントローラにおいて、上記チャイルドロック機構が、上記筐体に装着されてその操作ボタンを覆う防護カバーと、上記防護カバーを上記筐体に外れないように結合するロック状態とそのロック状態を解除して上記防護カバーを上記筐体から取外し可能とするロック解除状態とを選択可能なロック手段とを有し、そのロック手段のロック状態からロック解除状態への切換わり動作が、上記筐体に定位置回転操作可能に取り付けられた操作つまみを回転操作してその操作つまみを上記防護カバーに設けられた嵌合孔部に対する離脱不能な位置から離脱可能な位置に位置合わせする予備動作と、この予備動作によって上記操作つまみを上記嵌合孔部に対する離脱可能な位置に位置合わせした後に、上記嵌合孔部を上記操作つまみから離脱させる主動作との２段階の手動動作を通じて行われるように構成されている。
【００１０】
この構成において、ロック手段によって防護カバーを筐体に外れないように結合すると、リモートコンローラ本体の操作ボタンがその防護カバーで覆われるために、そのままでは操作ボタンを操作することができなくなり、子供のいたずら操作によって誤って操作ボタンが操作されることはない。そして、ロック手段によるロック機構を解除するには、幼児などの小さな子供にとって困難な作業である予備動作と主動作との２段階の手動動作を行う必要があるために、子供のいたずら操作によって偶然にロック状態が解除されて防護カバーが取り外されるという事態が起こりにくい。特に、この発明では、操作つまみを回転操作して防護カバー側の嵌合孔部に対する離脱不能な位置から離脱可能な位置に位置合わせするという子供のいたずら操作によっては行うことが相当に困難な予備動作を行う必要があり、そのような予備動作の後で、防護カバー側の嵌合孔部を操作つまみから離脱させるという子供のいたずら操作によっては容易に行うことのできない主動作との２段階の手動動作を通じてはじめてロックが解除されるように構成されているために、子供のいたずら操作によって操作ボタンが誤って操作されてしまうという事態を有効に防ぐことが可能になる。このような作用は、２段階の上記手動動作のうちの１つの動作に、筐体と防護カバーとのうちの一方側に設けられた突片部を、他方側に設けられた凹入部に対する挿入位置から引き出してその突片部を上記凹入部から離脱させる操作が含まれている、という構成を追加して採用することによっていっそう確実に発揮されるようになる。
【００１１】
また、上記した２段階の手動動作は、高齢者にとっては比較的容易に行うことのできる操作であるので、小さな子供がいたずら操作して押ボタンを誤って操作するという事態だけを防ぎ、興味本体のいたずら操作を行うことのない大人や高齢者にとっては、ロック手段によるロック状態を簡単に解除した後で、そのリモートコンローラを正常に取り扱うことができるという利点がある。
【００１２】
これらの各発明についての具体的構成は、後述する実施形態を参照して詳細に説明する。
【００１３】
本発明に係る他のリモートコンローラは、筐体に配備された操作ボタンの操作を通じて制御信号を発信するリモートコントローラ本体と、このリモートコントローラ本体の上記操作ボタンがいたずら操作されることを防ぐチャイルドロック機構とを備えたリモートコントローラにおいて、上記チャイルドロック機構が、上記筐体に装着されてその操作ボタンを覆う防護カバーと、上記防護カバーを上記筐体に外れないように結合するロック状態とそのロック状態を解除して上記防護カバーを上記筐体から取外し可能とするロック解除状態とを選択可能なロック手段とを有し、そのロック手段のロック状態からロック解除状態への切換わり動作が、予備動作とその予備動作に連続する主動作との２段階の異なる手動動作を通じて行われるように構成されているというものであってもよい。
【００１４】
これによれば、上記したところと同様に、ロック手段によるロック機構を解除するには、幼児などの小さな子供にとって困難な作業である予備動作と主動作との２段階の手動動作を行う必要があるために、子供のいたずら操作によってロック状態が解除されて防護カバーが取り外されるという事態が起こりにくい。
【００１５】
本発明に係る他のリモートコンローラでは、２段階の上記手動操作のうちの１つの動作に、上記筐体に取り付けられた操作つまみの定位置での回転操作が含まれ、その回転操作を通じて、操作つまみに具備された係合部が防護カバーに具備された被係合部から外れるように構成されている、という構成を採用することができる。また、上記予備動作が、上記した操作つまみの定位置での回転操作であり、上記主動作が、操作つまみの回転操作によって被係合部から外された係合部を、防護カバーに設けられた引抜き溝を通して引き抜く操作である、という構成を採用することも可能である。
【００１６】
これらの各発明についての作用や具体的構成は、後述する実施形態を参照して詳細に説明する。
【発明の効果】
【００１７】
本発明によれば、防護カバーを筐体に装着してその防護カバーをロック手段でロック状態にしておくと、操作ボタンが子供によっていたずら操作されることを確実に防ぐことができる。また、子供のいたずら操作によってはそのロック状態を容易に解除することができない。そのため、テレビジョン受像機で映像を楽しんでいるときに子供がリモートコンローラをいたずら操作してしまって不意に画面が切り換わってしまうという事態や、通信販売による商品の購入時に、子供がリモートコントローラを興味本位で持ち遊んでいるときに、いたずら操作により誤って送信ボタンを押してしまって、大人の知らない間に商品が注文されてしまうといった不測の事態の起こることを未然に防ぐことが可能になる。
【発明を実施するための最良の形態】
【００１８】
図１は本発明に係るリモートコンローラの概略平面図、図２はロック手段を説明するための一部破断側面図、図３は予備動作と主動作とを説明するための要部の下面図である。
【００１９】
図１のようにリモートコンローラは、偏平な矩形の筐体１に多くの操作ボタン２が配備されていて、それらの操作ボタン２の操作を通じて制御信号を発信する機能を備えたリモートコントローラ本体１０を有する。このリモートコンローラ本体１０の操作ボタン２には、モード切換え用の操作ボタン類のほか、当該リモートコンローラ本体１０に備わっているデイスプレイ３の表示を切り換えるための切換えボタン、その他の必要なボタン類が含まれる。
【００２０】
リモートコントローラ本体１０は、その操作ボタン２がいたずら操作されることを防ぐチャイルドロック機構５０と組み合わせて使用される。チャイルドロック機構５０は、筐体１に装着される透明な防護カバー５と、その防護カバー５を筐体１に外れないように結合するロック状態とそのロック状態を解除して防護カバー５を筐体から取外し可能とするロック解除状態とを選択可能なロック手段６とを有していて、そのロック手段６のロック状態からロック解除状態への切換わり動作が、予備動作とこの予備動作に連続する主動作との２段階の手動動作を通じて行われるように構成されている。次に、そのようなロック手段６の構成や作用を図２又は図３を参照して説明する。
【００２１】
図２又は図３のように、ロック手段６は、リモートコンローラ本体１０の筐体１の裏面側に支軸７１を介して定位置回転操作可能に取り付けられた操作つまみ７と、防護カバー５に具備された舌片部５１に形成されている嵌合孔部５２との組合せでなる。この実施形態では、操作つまみ７が細長形状に形成されているのに対し、嵌合孔部５２も細長形状に形成されている。そして、図３に実線で示したように操作つまみ７の長手方向を嵌合孔部５２の長手方向に合わせた状態では、防護カバー５の撓み変形性を利用して嵌合孔部５２を操作つまみ７に対して嵌脱可能であり、嵌合孔部５２を操作つまみ７に嵌合させて操作つまみを回転させると、操作つまみ７の長手方向が嵌合孔部５２の長手方向に対し交差し（たとえば図３仮想線の状態）、その操作つまみ７からの嵌合孔部５２の抜出しが阻止されるようになっている。
【００２２】
このロック手段６によると、予備動作とその予備動作に連続する主動作との２段階の手動動作を通じてロック状態からロック解除状態への切換わり動作が行われる。すなわち、ロック状態は、図３に実線で示したように、操作つまみ７の長手方向を嵌合孔部５２の長手方向に合わせた状態でその操作つまみ７に嵌合孔部５２を嵌合させた後、操作つまみ７を所定角度、たとえば９０度回転させて操作つまみ７の長手方向を嵌合孔部５２の長手方向に対し交差させることによって得られる。
【００２３】
そして、そのようなロック状態から、操作つまみ７を回転操作して操作つまみ７の長手方向を嵌合孔部５２の長手方向に位置合わせする操作が予備動作に相当し、その予備動作を行うことによって嵌合孔部５２が操作つまみ７から抜出し可能となる。したがって、この予備動作を行った後に連続して嵌合孔部５２を操作つまみ７から離脱させるという主動作を行うことによって舌片部５１が操作つまみ７による拘束から解かれてロックが解除される。このような２段階の手動動作を行うことは、幼児などの小さな子供にとってはきわめて困難な行動であり、偶然であってもそのような事態はほとんど起こり得ない。したがって、子供が上記した２段階の手動動作を行ってロック手段６のロック状態を解除して防護カバー５をリモートコンローラ本体１から取り外してしまうということが未然に防止され、その結果、子供のいたずら操作によって操作ボタン２が誤って押し込まれて不測の制御信号がリモートコンローラ本体１０１から発信されるという事態が未然に阻止される。
【００２４】
この実施形態では、図２のように、筐体１の表面側の１箇所に凹入部１２が形成されていて、その凹入部１２に、防護カバー５に設けられた突片部５５を挿入することによって、防護カバー５の突片部５５を凹入部１２に保持させることができる。また、突片部５５を凹入部１２に対する挿入位置から引き出してその突片部５５を凹入部１２から離脱させる操作（補助操作）を行うと、突片部５５が凹入部１２による保持状態から解放される。そして、上記した２段階の手動動作のうちの予備動作又は主動作に、突片部５５を凹入部１２に対する挿入位置から引き出してその突片部５５を凹入部１２から離脱させる上記の補助操作を含ませることによって、子供が防護カバー５をリモートコンローラ本体１から取り外すことをいっそう確実に防ぐことが可能になる。ここで、上記補助操作を予備動作に含ませる場合は、操作つまみ７から嵌合孔部５２を抜き出すという上記主動作を行う前に、防護カバー５の撓み変形性を利用して突片部５５を凹入部１２から引き出す。また、上記補助動作を主動作に含ませる場合には、操作つまみ７から嵌合孔部５２を抜き出すという上記主動作を行った後に、その補助動作を行う。したがって、この場合は、主動作に、操作つまみ７から嵌合孔部５２を抜き出す操作と、突片部５５を凹入部１２に対する挿入位置から引き出してその突片部５５を凹入部１２から離脱させる操作との両方が含まれることになる。
【００２５】
図４は他の実施形態のリモートコンローラに備わっているロック手段６がロック状態に保たれている状態を説明するための下面図、図５は同ロック手段６がロック解除状態に保たれている状態を説明するための下面図である。
【００２６】
図４及び図５に示したロック手段６は、操作つまみ７の支軸７１に形成した係合部としての略矩形断面の括れ部７２と、防護カバー５の舌片部５１に設けられた被係合部としての段付部５３及び引抜き溝５４とを備えている。この構成であると、図５のように上記括れ部７２の長手方向を引抜き溝５４の長手方向に合わせることによって舌片部５１を引抜き溝５４を介して操作つまみ７と筐体１との隙間に出し入れすることが可能になるのに対し、図４のように括れ部７２の長手方向を引抜き溝５４の溝幅方向に合わせることによってその括れ部７２が段付部５３に係合可能な状態になる。
【００２７】
ロック手段６がこの構成を有していると、予備動作とそれに連続する主動作とを次のように行うことができる。すなわち、操作つまみ７を定位置で回転操作して括れ部７２の長手方向を引抜き溝５４の長手方向に合わせることによってその括れ部７２を段付部５３から外すという予備動作を行い、そのような予備動作を行った後で、舌片部５１を引抜き溝５４を利用して操作つまみ７と筐体１との隙間から引き抜くという主動作を行うことができ、このような予備動作と主動作との２段階の手動動作を行うことによって、舌片部５１が操作つまみ７による拘束から解かれてロックが解除される。このような２段階の手動動作を行うことは、幼児などの小さな子供にとってはきわめて困難な行動であるので、子供のいたずら操作によって操作ボタン２が誤って押し込まれて不測の制御信号がリモートコンローラ本体１０１から発信されるという事態が未然に阻止される。
【００２８】
この実施形態において、チャイルドロック機構が、筐体１に装着されてその操作ボタンを覆う防護カバー５と、防護カバー５を筐体１に外れないように結合するロック状態とそのロック状態を解除して防護カバー５を筐体１から取外し可能とするロック解除状態とを選択可能なロック手段６とを有している点は、図１〜図３を参照して説明した実施形態と同様である。
【００２９】
上記した２つの実施形態のリモートコンローラにおいては、子供が触れるのは主に操作ボタン２が設けられているリモートコンローラ本体１０の表面側であると考えられる。そこで、この点を勘案して、２つの実施形態のいずれにおいても、予備動作と主動作とを行うためのロック手段６を、表面側に操作ボタン２を有するリモートコンローラ本体１０の裏面側に設けてある。そのため、子供がロック手段６に触れる可能性は少なくなる。したがって、ロック手段６をリモートコンローラ本体１０の裏面側に設けることが、子供のいたずら操作を防ぐ上で有効に働くと考えられる。
【００３０】
また、ロック手段のロック状態を解除するための予備動作と主動作との２段階の手動動作に、回転操作、スライド操作、ブッシュプル操作（押込み引出し操作）などの各種の操作を併せ含ませることが有効であると云える。
【図面の簡単な説明】
【００３１】
【図１】本発明に係るリモートコンローラの概略平面図である。
【図２】ロック手段を説明するための一部破断側面図である。
【図３】予備動作と主動作とを説明するための要部の下面図である。
【図４】他の実施形態のリモートコンローラに備わっているロック手段がロック状態に保たれている状態を説明するための下面図である。
【図５】同ロック手段がロック解除状態に保たれている状態を説明するための下面図である。
【符号の説明】
【００３２】
１  筐体
２  操作ボタン
５  防護カバー
６  ロック手段
７  操作つまみ
１０  リモートコントローラ本体
１２  凹入部
５０  チャイルドロック機構
５２  嵌合孔部
５３  段付部（被係合部）
５４  引抜き溝
５５  突片部
７２  括れ部（係合部）
【図１】
2007006362.tif 000003
【図２】
2007006362.tif 000004
【図３】
2007006362.tif 000005
【図４】
2007006362.tif 000006
【図５】
2007006362.tif 000007